(57)【要約】【課題】各病室の出入口近傍に設置して使用される個別情報廊下灯の液晶画面に、病室内の患者に関する各種情報を表示できるようにしたナースコール装置において、極めて簡便な方法で確実に節電ができ、長寿命を確保できる個別情報廊下灯を備えたナースコール装置を提供することを課題とする。【解決手段】個別情報廊下灯には、一時表示ボタンを設け、通常は、液晶表示部およびバックライトを消灯状態に保持し、一時表示ボタンを操作したときに限り、液晶表示部およびバックライトを点灯、表示させることにより、節電効果を高め、耐久性を増大する。【選択図】図２
2006122314.tif 000002
【特許請求の範囲】
【請求項１】
患者の呼出情報、患者情報を表示できるナースコール親機と、前記ナースコール親機に接続され、患者の呼出情報、患者情報を表示できる液晶表示部を有する個別情報廊下灯と、前記個別情報廊下灯に接続され、前記ナースコール親機との間で呼出、通話ができるナースコール子機とを有し、前記個別情報廊下灯には、前記ナースコール子機からの呼出しを代表して表示する代表灯と、前記液晶表示部およびそのバックライトの動作を制御する表示制御部と、前記表示制御部の開閉制御するための一時表示ボタンとを設け、前記一時表示ボタンの操作により、前記表示制御部を開閉制御し、前期液晶表示部および前記バックライトを一時的に動作させ、呼出情報、患者情報を表示させることを特徴とするナースコール装置。
【請求項２】
前記個別情報廊下灯には、一時表示ボタンの操作で作動を開始し所定時間を経過すると作動を停止するタイマを設け、前記タイマの動作に連動して、前記表示制御部を開閉制御し、前記液晶表示部および前記バックライトを所定時間点灯、表示させることを特徴とする請求項１記載のナースコール装置。
【請求項３】
前記個別情報廊下灯には、前記液晶表示部および前記バックライトを常時点灯、表示させるための常時表示ボタンを前記一時表示ボタンの近傍に設け、前記常時表示ボタンまたは前記一時表示ボタンのいずれかを選択的に操作することにより、前記表示制御部を開閉制御し、前記液晶表示部および前記バックライトを、常時表示、点灯させたり、または一時表示、点灯させたりできるようにしことを特徴とする請求項１または請求項２記載のナースコール装置。
【発明の詳細な説明】
【技術分野】
【０００１】
本発明は、ナースコール装置に係り、特に、各病室の出入口近傍に設置して使用される個別情報廊下灯の液晶画面に、病室内の患者に関する各種情報を表示できるようにしたナースコール装置に関する。
【背景技術】
【０００２】
従来から、この種の液晶画面付きの個別情報廊下灯の消費電力を低減したり、寿命を延ばす方法は各種提案されている。 
【０００３】
【特許文献１】・・・・特開２００４−１４７１５７
【特許文献２】・・・・特開２００３−２８３６８２
【特許文献２】・・・・特開２００２−６３１５
【０００４】
たとえば、特許文献１には、設置場所周辺の照度に応じて液晶パネルのバックライトの輝度を変化させることにより、バックライトの寿命を延ばすことが記載されている。
【０００５】
また、特許文献２には、周囲照度が基準値以上のときはバックライトを点灯させ、基準値以下（夜間など）のときは、人体を検知したときに限定してバックライトを点灯させることにより、バックライトの寿命を延ばすことが記載されている。
【０００６】
また、特許文献３には、液晶パネルを部分的に表示をすることができ、バックライトの省エネルギーを図ることができる液晶ディスプレイのバックライト装置が記載されている。
【発明の開示】
【発明が解決しようとする課題】
【０００７】
前記した特許文献１、特許文献２に記載の発明は、周囲照度や、接近する人体を検知し、その検知結果をもとにバックライトの点灯、消灯を判断し制御するものである。
【０００８】
他方、特許文献３記載の発明は、表示を行う液晶パネルを分割し、優先的に表示を行う優先画面表示を照射する光源と、必要に応じて表示を行う部分を照射する光源とを、別個に設けて、全画面表示と部分的表示とを切り分けるものである。
いずれにしても、個別情報廊下灯の構造は複雑となり、特殊な制御を必要とするので必然的に高価になる。
【０００９】
本発明は、これらの公知例とは異なり、極めて簡便な方法で確実に節電ができ、長寿命を確保できる個人別情報廊下灯を備えたナースコール装置を提供することを課題とする。
【００１０】
あわせて、本発明は、プライバシー保護機能に優れた個別情報廊下灯を備えたナースコール装置を提供することを課題とする。
【課題を解決するための手段】
【００１１】
本発明のナースコール装置における個別情報廊下灯は、代表表示灯の点灯または点滅で、病室内のいずれかの患者から呼出があったことを確認できる点については、従来のこの種個人情報廊下灯と同様である。
【００１２】
ただ、バックライトを含む液晶表示部を一時的にオンにできる一時表示ボタンを個別情報廊下灯の表面の適所に備えている点で異なる。
【００１３】
なお、病室内のベッド配置に対応する個別表示灯を設け、呼出した患者に相当する個別表示灯を点灯または点滅させることにより、どのベッドの患者から呼出されているかわかるようにしておけば、通常は、点灯または点滅している個別表示灯の位置を確認するだけでどの患者が呼び出しているかは察しがつく場合が多いので、常に、一時表示ボタンを操作して、液晶画面を確認するという手順を踏む必要はない。
【００１４】
すなわち、呼出した患者の名前が点灯又は点滅している個別表示灯の位置から判断できない場合や患者情報を確認したい場合に限り、前記一時表示ボタンを操作すればよい。
そうすれば、液晶表示部がオンし、呼出した患者名およびその情報が表示されるので、必要な情報を確認できる。
患者情報の確認が済んだら、表示ボタンの戻し操作または内臓タイマにより、液晶表示部がオフしバックライトも消灯する。
【発明の効果】
【００１５】
本発明によれば、液晶表示部の点灯、消灯は、必要な時に一時表示ボタン操作するだけで制御できるので、その構成は極めて簡単であり。また、点灯させる時間も限られるため節電効果は大きい。
【００１６】
なお、一時表示ボタンの操作可能時間は、これを患者から呼出がされている時に限定することも可能であり、そうすれば、液晶表示部の稼動時間は、一日トータルしても数分以内という短時間に減縮できる。
【００１７】
さらに、上記のように、一時表示ボタンを操作するのは、患者からの呼出時であって、かつ、患者の名前を改めて確認したいというような極めて限定した場合に限られるので、液晶表示部が点灯する機会は極めてまれである。
従って、節電効果は大で、必然的に耐久性も向上する。
【００１８】
また、上記のように、患者情報は、看護師等が個別情報廊下灯の液晶画面で確認するときに一時的に表示させるにすぎないので、そのときたまたま一般の見舞い客などが覗き見するという可能性は低く、患者情報の漏洩のおそれはないといってよい。従って、患者プライバシー保護の面からも優れたものと言える。
【発明を実施するための最良の形態】
【００１９】
図１は、本発明の１実施例におけるナースコール装置のシステム構成図である。
【００２０】
図１において、本発明のナースコール装置は、病院や福祉施設のナースステーションや管理室に設置されるナースコール親機１と、病室などの出入り口に設置され、病室の出入り口に設置される個別情報廊下灯と、病室内の各ベッド付近に設置され、呼出・通話機能を有するナースコール子機３とを相互に接続して構成される。
【００２１】
ナースコール親機１は、患者との間で呼出、通話ができるとともに、内部に記憶した患者情報をもとに、呼出、通話に関する情報や、患者情報を表示する機能を有するもので、必要に応じて、病院内ＬＡＮに接続され、オーダリングシステムと連動し、必要な情報の入出力を行なう。
【００２２】
病室番号が適宜表示される個別情報廊下灯２は、液晶表示部を有し、ナースコール子機３から呼出されると、代表灯の点灯などで患者からの呼出を知らせるととともに、患者名、救護区分、担当医師名など、必要な患者情報を表示させることができる。
【００２３】
図２は、本発明の１実施例における個別情報廊下灯の外観図である。
【００２４】
個別情報廊下灯２は、本体の中央部分に矩形の液晶表示部４を有し、その両側には、赤色ＬＥＤからなる複数の個別表示灯５を備えている。
【００２５】
液晶表示部４の下側には、復旧ボタン６、常時表示ボタン７、一時表示ボタン８が並べて設けられている。
【００２６】
液晶表示部４の上側には、室番９が表示され、さらにその上側には横長の代表灯１０が、横に長いかまぼこ形のレンズの間に設けられ、代表灯１０が赤色に点灯または点滅すると、赤色光がレンズで拡散放射され、前面および側面からの点灯、点滅信号で呼出状態を周囲に報知できるようになっている。
【００２７】
図３は、本発明の1実施例における個別情報廊下灯のブロック図である。
【００２８】
ＣＰＵ１１は、記憶部１２に予め記憶されたプログラムに従い、全体の動作を制御する機能を有するものであり、子機Ｉ／Ｆ１３を介して1または複数のナースコール子機へ接続されている。
【００２９】
ＣＰＵ１１は、ナースコール幹線Ｉ／Ｆ１４を介してナースコール親機との間で呼出信号や通話信号のほかに患者情報などを送受信できるようになっている。
【００３０】
また、ＣＰＵ１１には、ナースコール子機から呼び出されたとき点灯、または点滅して呼出状態を代表して表示する代表灯１０、呼出したナースコール子機に個別に対応して点灯、または点滅する複数の個別表示灯５が接続されている。
【００３１】
さらに、ＣＰＵ１１には、表示制御部１５を介して、液晶表示部４、およびこれを背面から照射するバックライト１６が接続されている。
【００３２】
１５は、液晶ドライブ回路を含む液晶表示部４やバックライト１６の電源および信号を開閉制御する表示制御部であり、常時表示ボタン７や一時表示ボタン８の操作に連動して、ＣＰＵ１１により、その開閉動作が制御される。
【００３３】
すなわち、常時表示ボタン７を押すと、ＣＰＵ１１の制御で、表示制御部１５に電源が印加されるとともに、信号路が導通し、液晶表示部４が動作し、バックライト１６の点灯により、所定の呼出情報、患者情報が表示される。
【００３４】
常時表示ボタン７を復帰操作すると、液晶表示部４の動作が停止するとともに、バックライト１６は消灯状態に復帰する。
【００３５】
他方、一時表示ボタン８を押した場合には、押している間だけ、ＣＰＵ１１の制御で、表示制御部１５に電源が印加されるとともに、信号路が導通し、液晶表示部４が動作し、バックライト１６の点灯により、所定の呼出情報、患者情報が表示される。
【００３６】
なお、図示の例のようにタイマ１７を設ければ、一時表示ボタン８を押し続けなくても、所定の時間に限り、表示制御部１５が作動し、液晶表示部４、バックライト１６を表示、点灯状態に保持させることができる。
【００３７】
すなわち、一時表示ボタン８を押すと、ＣＰＵ１１の働きでタイマ１７が起動するとともに、その働きで表示制御部１５に電源が供給されるとともに、その信号路が導通する結果、液晶表示部４およびバックライト１６が動作、点灯し、所定の呼出情報、患者情報が表示される。
【００３８】
タイマ１７が一定時間をカウントすると、ＣＰＵ１１の働きで、前記表示制御部１５の電源が遮断され、信号路が開放される結果、液晶表示部４の動作は停止し、バックライト１６も消灯する。
【００３９】
ＣＰＵ１１に接続されている復旧ボタン６は、個別情報廊下灯２の呼出状態を強制復旧させたいとき使用するものであり、この復旧ボタン６を押すと、ナースコール子機からの呼出状態は解除され、代表灯１０、個別表示灯５、液晶表示部４、バックライト１６は消灯もしくは動作を停止する。
【００４０】
なお、実施例では、個別表示灯５を設けてあるが、この個別表示灯５は必要に応じて設ければよい。なぜなら、一時表示ボタン８の操作をすれば呼出した患者の氏名などを確認できるので、個別表示灯５はその意味では必ずしも必要ではない。
【００４１】
また、常時表示ボタン７は、病院や福祉施設の特殊性により、患者情報を常時表示させたい場合に必要となるが、施設個別の使用条件や使い勝手によっては、必ずしも必要としない場合もある。
【図面の簡単な説明】
【００４２】
【図１】本発明の１実施例におけるナースコール装置のシステム構成図。
【図２】本発明の１実施例における個人別情報廊下灯の外観図。
【図３】本発明の1実施例における個別情報廊下灯のブロック図。
【符号の説明】
【００４３】
１    ナースコール親機
２    個別情報廊下灯
３    ナースコール子機
４    液晶表示部
５    個別表示灯
６    復旧ボタン
７    常時表示ボタン
８    一時表示ボタン
１０    代表灯
１１    ＣＰＵ
１２    記憶部
１３    子機Ｉ／Ｆ
１４    ナースコール幹線Ｉ／Ｆ
１５    表示制御部
１６    バックライト
１７    タイマ
【図２】
2006122314.tif 000003
【図３】
2006122314.tif 000004
【図１】
2006122314.tif 000005